(57)【特許請求の範囲】
【請求項１】
対象室の天井から輻射冷房を行う輻射冷房手段からなる輻射空調手段と、前記対象室内の天井近傍の空気を床側に送る送風と前記対象室内の床側の空気を天井近傍に送る送風を切換えて運転可能な送風手段と、前記対象室内で人が睡眠しているか否かを推定する推定手段と、前記対象室内の床側の室温を検知する室温検知手段と、前記室温検知手段の検知結果及び推定手段の推定結果に基づいて前記輻射空調手段の運転及び前記送風の向きの決定を含む送風手段の運転を制御する制御手段を備えたことを特徴とする空調システム。
【請求項２】
対象室の天井から輻射暖房を行う輻射暖房手段からなる輻射空調手段と、前記対象室内の天井近傍の空気を床側に送る送風と前記対象室内の床側の空気を天井近傍に送る送風を切換えて運転可能な送風手段と、前記対象室内で人が睡眠しているか否かを推定するための推定手段と、前記対象室内の床側の室温を検知する室温検知手段と、前記室温検知手段の検知結果及び推定手段の推定結果に基づいて前記輻射空調手段の運転及び前記送風の向きの決定を含む送風手段の運転を制御する制御手段を備えたことを特徴とする空調システム。
【請求項３】
前記制御手段は、前記推定手段により前記対象室内で人が睡眠していると推定したときに睡眠モードによる空調を行うものであって、前記睡眠モードでは、前記送風手段により前記対象室内の天井近傍の空気を床側に送る送風を行うことなく、前記輻射空調手段及び前記送風手段の運転を制御して空調を行うものであることを特徴とする請求項１又は請求項２に記載の空調システム。
【請求項４】
前記制御手段は、前記睡眠モードにおいて、室温検知手段の検知結果に基づき、前記送風手段を対象室内の床側の空気を天井近傍に送る運転状態と停止状態のいずれかに切換える制御が行われることを特徴とする請求項３に記載の空調システム。
【発明の詳細な説明】
【技術分野】
【０００１】
本発明は輻射により対象室の温度調節を行う空調システムに関する。
【背景技術】
【０００２】
従来、室内に居る人に対してドラフト感を与えずに緩やかな冷暖房を行うため、天井からの輻射によって空気調節（以下、空調と記載する）を行う輻射冷暖房装置が利用されている。
【０００３】
特許文献１には、天井に設けられて対象室の輻射冷暖房を行う輻射パネルと、対象室の空気を攪拌する天井扇を備えた空調システムが開示されている。この空調システムは、表面温検知手段で検知した輻射パネルの表面温度と室温検知手段で検知した室温との差に応じて対象室内の温度分布が均一になるよう天井扇の運転を制御している。
【先行技術文献】
【特許文献】
【０００４】
【特許文献１】特開平６−１５９７７４号公報
【発明の概要】
【発明が解決しようとする課題】
【０００５】
ところで、特許文献１のように天井扇のみを制御して冷暖房を行うものにあっては、対象室の温度環境を細かく設定することができず、快適な空調を行うことが難しい。また、対象室に居る人にとっては、室温だけでなく、その人が睡眠中であるか或いは覚醒中であるかによっても適切な冷暖房環境が異なるが、特許文献１では天井扇の制御を輻射パネルの表面温度と室温との差にのみ基づいて行っているものであり、睡眠中の人及び覚醒中の人の夫々にとって適切な冷暖房を行うことができない。
【０００６】
本発明は上記事情に鑑みてなされたものであって、細かな設定で空調を行うことができ、しかも覚醒又は睡眠のいずれの状態にある人に対しても適切な空調を行うことができる空調システムを提供することを課題とする。
【課題を解決するための手段】
【０００７】
上記課題を解決するために本発明の空調システムは、対象室の天井から輻射冷房を行う輻射冷房手段からなる輻射空調手段と、前記対象室内の天井近傍の空気を床側に送る送風と前記対象室内の床側の空気を天井近傍に送る送風を切換えて運転可能な送風手段と、前記対象室内で人が睡眠しているか否かを推定する推定手段と、前記対象室内の床側の室温を検知する室温検知手段と、前記室温検知手段の検知結果及び推定手段の推定結果に基づいて前記輻射空調手段の運転及び前記送風の向きの決定を含む送風手段の運転を制御する制御手段を備えたことを特徴とする。
【０００８】
また、本発明の他の空調システムは、対象室の天井から輻射暖房を行う輻射暖房手段からなる輻射空調手段と、前記対象室内の天井近傍の空気を床側に送る送風と前記対象室内の床側の空気を天井近傍に送る送風を切換えて運転可能な送風手段と、前記対象室内で人が睡眠しているか否かを推定するための推定手段と、前記対象室内の床側の室温を検知する室温検知手段と、前記室温検知手段の検知結果及び推定手段の推定結果に基づいて前記輻射空調手段の運転及び前記送風の向きの決定を含む送風手段の運転を制御する制御手段を備えたことを特徴とする。
【０００９】
また、前記制御手段は、前記推定手段により前記対象室内で人が睡眠していると推定したときに睡眠モードによる空調を行うものであって、前記睡眠モードでは、前記送風手段により前記対象室内の天井近傍の空気を床側に送る送風を行うことなく、前記輻射空調手段及び前記送風手段の運転を制御して空調を行うものであることが好ましい。
【００１０】
また、前記制御手段は、前記睡眠モードにおいて、室温検知手段の検知結果に基づき、前記送風手段を対象室内の床側の空気を天井近傍に送る運転状態と停止状態のいずれかに切換える制御が行われることが好ましい。
【発明の効果】
【００１１】
本発明にあっては、細かな設定で空調を行うことができ、対象室に居る人が覚醒又は睡眠のいずれの状態にあっても適切な空調を行うことができる。
【図面の簡単な説明】
【００１２】
【図１】本発明の第一実施形態の空調システムを示す説明図である。
【図２】同上の空調システムのブロック図である。
【図３】同上の空調システムの制御フローである。
【図４】同上の輻射冷房手段で対象室内の空気を冷房する様子を示す説明図である。
【図５】第二実施形態の空調システムの制御フローである。
【図６】第三実施形態の空調システムの説明図である。
【図７】同上の空調システムのブロック図である。
【図８】同上の空調システムの制御フローである。
【図９】内装パネルを示す説明図である。
【図１０】内装パネルを用いた空調システムのブロック図である。
【発明を実施するための形態】
【００１３】
以下、本発明を添付図面に基づいて説明する。
【００１４】
（第一実施形態）まず、図１乃至図４に基づいて第一実施形態について説明する。本実施形態の空調システムは、図１に示すように建物の一室からなる対象室１の天井２から床に向けて輻射空調を行う輻射空調手段３と、対象室１内の空気を攪拌するための送風手段５を備えている。さらに、この空調システムは、対象室１内で人が睡眠しているか否かを推定するための推定手段と、対象室１内の床側の室温を検知する室温検知手段６と、推定手段の推定結果及び室温検知手段６の検知結果に基づいて輻射空調手段３と送風手段５の両者の運転を制御する制御手段８（図２参照）を備えている。
【００１５】
輻射空調手段３は、天井２に設けられた被冷却部１０と被冷却部１０を冷却する冷却装置９（図２参照）で構成された輻射冷房手段からなる。被冷却部１０は対象室１の天井面の全体又は一部を構成する天井材からなり、冷却装置９は天井２裏に設置されたエアコンディショナーからなる。冷却装置９は、コンプレッサー１１及びファン１２（図３参照）を駆動することで、図４のように天井２裏空間に冷気を流し、この冷気により被冷却部１０を冷却して冷輻射による対象室１の輻射冷房を行う。輻射空調手段３は運転レベルの強弱が切換可能であり、この運転レベルの切換えは例えばコンプレッサー１１やファン１２の出力を調整したり、間欠運転したりすることで行われる。
【００１６】
図１のように送風手段５は対象室１の天井面の中央部に設けられた天井扇１７からなる。送風手段５はファンを正逆両方向に回転駆動することができ、一方向に回転することにより、対象室１の天井２近傍（対象室１内の上端部）の空気が矢印ｂに示すように下方の床側に送られる下向き送風がなされる。また、ファンを逆方向に回転することにより、対象室１内の床側の空気が矢印ａに示すように上方の天井２近傍に送られる上向き送風がなされる。
【００１７】
室温検知手段６は対象室１の壁の下端部あるいは床等に設けられて対象室１内の床近傍の温度を検出する温度センサー２０からなる。
【００１８】
推定手段は輻射空調手段３及び送風手段５を用いて行われる空調の各種設定を行う操作手段７と制御手段８（図２参照）で構成されている。操作手段７は対象室１の壁に設けられた操作器からなり、輻射空調手段３及び送風手段５の運転状態等を表示する表示機能を有している。
【００１９】
対象室１内に居る利用者は操作手段７に設けられた操作部１８を操作することで、覚醒時に適した空調を行うのか又は睡眠時に適した空調を行うのかの決定を行うことができる。この決定に基づいて、制御手段８は覚醒時に適した通常モード及び睡眠時に適した睡眠モードのうちのいずれの運転モードで空調運転を行うのかを決定する。すなわち、本実施形態の推定手段は、操作部１８で入力されたデータに基づいて対象室１内で人が睡眠しているか否かを推定するものである。
【００２０】
前記操作手段７による運転モードの選択は、例えば操作手段７に設けられたモード切替釦を操作したり、あるいは睡眠モードの予定運転時刻や予定運転時間を設定したりすることで行われる。
【００２１】
図２のように制御手段８は、送風手段用制御部１３と、輻射空調手段用制御部１５と、これらを制御するコントローラー１６で構成され、これら三者は個別に設けられる。
【００２２】
送風手段用制御部１３は制御対象となる送風手段５と通信可能で、送風手段５の運転状況の情報は送風手段用制御部１３を介してコントローラー１６に送信される。輻射空調手段用制御部１５は制御対象となる輻射空調手段３と通信可能で、輻射空調手段３の運転状況の情報は輻射空調手段用制御部１５を介してコントローラー１６に送信される。
【００２３】
コントローラー１６は操作手段７に設けられる。コントローラー１６は室温検知手段６と通信可能であり、室温検知手段６で検知されたデータはコントローラー１６に送信される。また、操作手段７により入力されたデータもコントローラー１６に送信される。
【００２４】
コントローラー１６は、送風手段用制御部１３、輻射空調手段用制御部１５、室温検知手段６、及び操作手段７から送信されたデータに基づき、輻射空調手段３及び送風手段５の運転を送風手段用制御部１３や輻射空調手段用制御部１５を介して間接的に制御する。
【００２５】
操作部１８が利用者により操作されて自動空調の指示がなされると、コントローラー１６は、操作手段７で選択された運転モード、すなわち通常モード又は睡眠モードにおいて以下のように輻射空調手段３と送風手段５の両者の運転を制御する。
【００２６】
通常モードでは、所定時間（例えば１分）毎に室温検知手段６で検知された床側の室温Ｔｆと予め設定された覚醒時快適温度Ｔｅ１が比較されると共にこの比較結果に基づいて輻射空調手段３及び送風手段５の運転制御がなされる。
【００２７】
覚醒時快適温度Ｔｅ１は空調時における日付等に応じて変化し、予め設定された複数の設定温度の中から当該空調時における日付等に対応する設定温度が選択され、この選択された設定温度が覚醒時快適温度Ｔｅ１として用いられる。なお、この覚醒時快適温度Ｔｅ１は操作手段７を用いて手動で設定されるものであってもよい。
【００２８】
通常モードにおいては、床側の室温Ｔｆが覚醒時快適温度Ｔｅ１未満であれば輻射空調手段３及び送風手段５の運転が停止される。一方、床側の室温Ｔｆが覚醒時快適温度Ｔｅ１以上であれば輻射空調手段３が運転されると共に送風手段５が下向き送風で運転される。この場合、輻射空調手段３の被冷却部１０で冷却された冷気が送風手段５により床側に居る覚醒した人に向けて送風される。また、この冷房時には床側の室温Ｔｆと覚醒時快適温度Ｔｅ１の差ΔＴ（ΔＴ＝Ｔｆ−Ｔｅ１）に応じて輻射空調手段３の運転レベル及び送風手段５の風量が制御される。すなわち、ΔＴが大きい程、輻射空調手段３の運転レベルが強、送風手段５の風量が大になるように制御される。
【００２９】
睡眠モードでは図３に示す制御がなされる。この制御では、室温検知手段６で検知された床側の室温Ｔｆと予め設定された睡眠時快適温度Ｔｅ２が比較されると共にこの比較結果に基づいて輻射空調手段３及び送風手段５の運転制御がなされる。
【００３０】
睡眠時快適温度Ｔｅ２は可変であって、利用者により操作手段７を用いて予め設定される。例えば睡眠時快適温度Ｔｅ２は操作手段７により２８℃に設定される。
【００３１】
図３のように、睡眠モードでは、まず室温検知手段６により床側の室温Ｔｆが検知され（Ｓ１）、この床側の室温Ｔｆが快適温度Ｔｅ２未満であるか否かが判定される（Ｓ２）。Ｓ２において床側の室温Ｔｆが快適温度Ｔｅ２未満であると判定されると、輻射空調手段３の運転が停止され（Ｓ３）、この後、所定時間ｔ（例えば１０分）経過しているか否かが判定される（Ｓ４）。Ｓ４において輻射空調手段３の停止後所定時間ｔ以上経過している場合には、送風手段５の運転が停止され（Ｓ５）、この後Ｓ１に戻る。Ｓ４において輻射空調手段３の停止後所定時間ｔ以上経過していない場合には、送風手段５が上向き送風で運転され（Ｓ７）、この後Ｓ１に戻る。Ｓ２において床側の室温Ｔｆが快適温度Ｔｅ２未満でない場合には、輻射空調手段３が運転されると共に送風手段５が上向き送風で運転され（Ｓ６，Ｓ７）、Ｓ１に戻る。
【００３２】
前記睡眠モードにおいては、送風手段５により床側の空気が天井２側に送られた後、輻射空調手段３の冷却された被冷却部１０にて冷却され、これにより対象室１が冷房される。また、この睡眠モードでは、送風手段５により下向き送風が行われることなく、輻射空調手段３及び送風手段５の運転が制御されて冷房がなされる。また、Ｓ４において輻射空調手段３の停止後所定時間ｔ以上経過していない場合には送風手段５が上向き送風で運転され、輻射空調手段３の停止直後の被冷却部１０にて天井２側に送られた空気が冷却される。なお、睡眠モードにおける輻射空調手段３の運転レベルや送風手段５の風量は、通常モードのように床側の室温Ｔｆと睡眠時快適温度の差ΔＴ（ΔＴ＝Ｔｅ１−Ｔｆ）に応じて変化するものであってもよいし、変化しないものであってもよい。
【００３３】
本実施形態の空調システムでは、対象室１内で人が睡眠しているか否かを推定する推定手段の推定結果と、対象室１内の床側の室温Ｔｆを検知する室温検知手段６の検知結果に基づいて、輻射空調手段３の運転及び送風の向きの決定を含む送風手段５の運転を制御する。つまり、送風手段５だけではなく、輻射冷房手段からなる輻射空調手段３も制御するので、細かな設定で快適な冷房を行うことができる。また、輻射空調手段３と送風手段５の運転制御は、対象室１内で人が睡眠しているか否かを推定する推定手段の推定結果と、対象室１内の床側の室温Ｔｆを検知する室温検知手段６の検知結果に基づいて行われる。このため、本実施形態のように覚醒した人に対しては送風手段５を下向き運転としたドラフト感のある冷房を行い、睡眠した人に対しては送風手段５を上向き運転として睡眠中の人に直接送風がなされない体に優しい冷房を行ったりすることができる。つまり、睡眠中の人及び覚醒中の人の夫々にとって快適な冷房を行うことができる。
【００３４】
また、推定手段により対象室１内で人が睡眠していると推定したときに実行される睡眠モードでは、送風手段５により対象室１内の天井２近傍の空気を床側に送る送風を行うことなく、輻射空調手段３及び送風手段５の運転を制御して空調を行う。このため、睡眠中の人に向けて直接送風がなされない体に優しい空調が行える。
【００３５】
また、睡眠モードでは、対象室１内の床側の室温Ｔｆを検知する室温検知手段６の検知結果に基づき、送風手段５を対象室１内の床側の空気を天井２近傍に送る運転状態と停止状態のいずれかに切換える制御が行われる。このため、本実施形態のように睡眠者近傍の温度が低いときに送風手段５を停止して睡眠者に向けて直接送風がされない体に優しい空調を行ったり、睡眠者近傍の温度が高いときに送風手段５を上向き運転にして体に優しい空調を行ったりすることができる。つまり、睡眠者に対して睡眠者近傍の温度に応じて適切な空調を行うことができる。
【００３６】
また、睡眠モードでは、輻射空調手段３の停止後所定時間ｔ以上経過していない場合には送風手段５が上向き送風で運転され、輻射空調手段３の停止直後の被冷却部１０にて天井２側に送られた空気が冷却される。このため、輻射空調手段３の停止直後の被冷却部１０を有効に利用して室内を冷房でき、省エネルギー化が図れる。
【００３７】
なお、本実施形態の睡眠モードでは、床側の室温Ｔｆが快適温度Ｔｅ２未満となったときには輻射空調手段３のみを停止し、床側の室温Ｔｆが快適温度Ｔｅ２未満となってから所定時間ｔが経過した時点で送風手段５を停止するようにしている。しかし、Ｓ４を省略し、床側の室温Ｔｆが快適温度Ｔｅ２未満となったときに、輻射空調手段３と送風手段５の両者を停止するようにしても構わない。
【００３８】
また、本実施形態の輻射空調手段３のように冷却装置９をエアコンディショナーで構成した場合、被冷却部１０を加熱することで対象室１の輻射暖房を行うこともできる。
【００３９】
（第二実施形態）次に第二実施形態について説明する。なお、本実施形態では第一実施形態と同一の構成については同一の番号を付与し、第一実施形態と重複する説明は省略する。
【００４０】
本実施形態では、輻射空調手段３が輻射暖房手段からなり、天井２に設けられた被加熱部と、被加熱部を加熱する加熱装置で構成されている。被加熱部は被冷却部１０と同様に対象室１の天井面の全体又は一部を構成する天井材からなり、加熱装置は冷却装置９と同様に天井２裏に設置されたエアコンディショナーからなる。加熱装置は、コンプレッサー及びファンを駆動することで、天井２裏空間に暖気を流し、この暖気により被加熱部を加熱して熱輻射による対象室１の輻射暖房を行う。なお、本実施形態の輻射空調手段３も、コンプレッサーやファンの出力を調整したり、間欠運転したりすることで、運転レベルの強弱が切換えられるようになっている。
【００４１】
本実施形態の通常モードにおいては、室温検知手段６で検知された床側の室温Ｔｆが覚醒時快適温度Ｔｅ１を超えた場合に輻射空調手段３及び送風手段５の運転が停止される。また、床側の室温Ｔｆが覚醒時快適温度Ｔｅ１以下であれば輻射空調手段３が運転されると共に送風手段５が下向き送風で運転される。この場合、輻射空調手段３の被加熱部で加熱された暖気が送風手段５により床側に居る覚醒中の利用者に向けて送風される。また、この暖房時には床側の室温Ｔｆと覚醒時快適温度Ｔｅ１の差ΔＴ（ΔＴ＝Ｔｅ１−Ｔｆ）に応じて輻射空調手段３の運転レベル及び送風手段５の風量が制御される。すなわち、ΔＴが大きい程、輻射空調手段３の運転レベルが強、送風手段５の風量が大になるように制御される。
【００４２】
睡眠モードでは、所定時間（例えば１分）毎に図５のフローに示す制御が行われる。この制御では、室温検知手段６で検知された床側の室温Ｔｆと睡眠時快適温度Ｔｅ２が比較されると共にこの比較結果に基づいて輻射空調手段３及び送風手段５の運転制御がなされる。例えば睡眠時快適温度Ｔｅ２は操作手段７により２１℃に設定される。
【００４３】
図５のように、睡眠モードでは、室温検知手段６により床側の室温Ｔｆが検知され（Ｓ１）、この床側の室温Ｔｆが快適温度Ｔｅ２を超えているか否かが判定される（Ｓ２）。Ｓ２において床側の室温Ｔｆが快適温度Ｔｅ２を超えていると判定されると、輻射空調手段３と送風手段５の運転が停止され（Ｓ３，Ｓ４）、この後Ｓ１に戻る。Ｓ２において、
床側の室温Ｔｆが快適温度Ｔｅ２を超えていないと判定されると、輻射空調手段３が運転されると共に送風手段５が上向き送風で運転され（Ｓ５，Ｓ６）、この後Ｓ１に戻る。
【００４４】
前記睡眠モードにおいては、送風手段５により床側の空気が天井２側に送られた後、輻射空調手段３の加熱された被加熱部にて加熱され、これにより対象室１が暖房される。また、この睡眠モードでは、送風手段５により下向き送風が行われることなく、輻射空調手段３及び送風手段５の運転が制御されて暖房がなされる。
【００４５】
なお、睡眠モードにおける輻射空調手段３の運転レベルや送風手段５の風量は、通常モードのように床側の室温Ｔｆと睡眠時快適温度の差ΔＴ（ΔＴ＝Ｔｆ−Ｔｅ１）に応じて変化させるものであってもよいし、固定するものであってもよい。また、本実施形態の睡眠モードでは、床側の室温Ｔｆが快適温度Ｔｅ２を超えたときには直ちに送風手段５の運転が停止される。しかし、第一実施形態のように床側の室温Ｔｆが快適温度Ｔｅ２を超えたときには輻射空調手段３のみを停止し、床側の室温Ｔｆが快適温度Ｔｅ２を超えてから所定時間ｔが経過した時点で送風手段５を停止するようにしても構わない。
【００４６】
本実施形態の空調システムでは、対象室１内で人が睡眠しているか否かを推定する推定手段の推定結果と、対象室１内の床側の室温Ｔｆを検知する室温検知手段６の検知結果に基づいて、輻射暖房手段からなる輻射空調手段３の運転及び送風の向きの決定を含む送風手段５の運転を制御する。つまり、送風手段５だけではなく、輻射暖房手段からなる輻射空調手段３も制御するので、細かな設定で快適な暖房を行うことができる。また、輻射空調手段３と送風手段５の運転制御は、対象室１内で人が睡眠しているか否かを推定する推定手段の推定結果と、対象室１内の床側の室温Ｔｆを検知する室温検知手段６の検知結果に基づいて行われる。このため、本実施形態のように覚醒した人に対しては送風手段５を下向き運転としたドラフト感のある暖房を行い、睡眠した人に対しては送風手段５を上向き運転として睡眠中の人に直接送風がなされない体に優しい暖房を行ったりすることができる。つまり、睡眠中の人及び覚醒中の人の夫々にとって快適な暖房を行うことができる。
【００４７】
また、本実施形態の輻射空調手段３のように加熱装置をエアコンディショナーで構成した場合、被加熱部を冷却することで対象室１の輻射冷房を行うこともできる。なお、この場合、冷房時には第一実施形態と同様の制御を行ってもよい。
【００４８】
（第三実施形態）次に第三実施形態について説明する。なお、本実施形態では第一実施形態と同一の構成については同一の番号を付与し、第一実施形態と重複する説明は省略する。
【００４９】
図６乃至図８に示される本実施形態の空調システムは、対象室１内で人が睡眠しているか否かを推定するための推定手段が、床温検知手段２１、人体検知手段２２、照度検知手段、及び制御手段８（図７参照）で構成されている。
【００５０】
床温検知手段２１は、図６のように対象室１の床暖房装置からなる床暖房手段２３に設けられた床表面温度を検知する温度センサー２０からなり、床暖房手段２３を単独で利用する場合の制御にも用いられる。人体検知手段２２は焦電センサー等からなる人感センサーで構成され、送風手段５に設けられて対象室１内の人が動いたか否かを検知する。照度検知手段は対象室１内の照度を検知する図示しない照度センサーからなる。
【００５１】
制御手段８は、図７のように送風手段用制御部１３と、輻射空調手段用制御部１５と、床暖房手段用制御部２４と、これらを制御するコントローラー１６で構成され、これら四者は個別に設けられる。
【００５２】
床暖房手段２３の運転状況の情報及び床温検知手段２１で検知されたデータは床暖房手段用制御部２４を介してコントローラー１６に送信される。また、人体検知手段２２で検知されたデータは送風手段用制御部１３を介してコントローラー１６に送信される。
【００５３】
本実施形態では、操作部１８が利用者により操作されて自動空調の指示がなされると、コントローラー１６は前述の通常モードによる自動空調を行う。そして、コントローラー１６は、通常モードの運転時において図８に示す制御を行い、対象室１内で人が睡眠しているか否かを推定し、肯定した場合に前述の睡眠モードによる自動空調に移行する。なお、睡眠モードから通常モードへの移行は、例えば操作手段７を操作することで行われる。
【００５４】
図８に示す制御では、床温検知手段２１、人体検知手段２２、及び照度検知手段の夫々の出力を取得する（Ｓ１）。そして、Ｓ２〜Ｓ６の判定を行い、全ての条件を満たした場合にのみ対象室１内に居る人が睡眠していると推定する。
【００５５】
Ｓ２では、床暖房手段用制御部２４を介して取得した床暖房手段２３の運転状況、床温検知手段２１で検知した床温、及びコントローラー１６が有するタイマー機能で検知した時間に基づき、コントローラー１６が有するタイマー機能を利用して判定を行う。すなわち、床暖房手段２３を停止した状態で床温検知手段２１で検知した床温の上昇値が所定値（例えば５分間で２度上昇）以上であるか否かを判定する。これは人が布団に入った後の床温上昇を検知して睡眠開始を判断するためである。
【００５６】
Ｓ３では、所定時間あたりに人体検知手段２２で検知した人の動作回数が所定回数（例えば例えば２〜５回／分）であるか否かを判定する。これは人が布団に入った後の身じろぎを検知して睡眠開始を判断するためである。
【００５７】
Ｓ４では、照度検知手段で検知した対象室１の照度の大小により対象室１の照明が点灯しているか否かを判定する。これは人が照明を暗くしたことを検知して睡眠開始を判断するためである。
【００５８】
Ｓ５では、コントローラー１６が有する時計機能から取得した現在時刻が所定の時刻（例えば２３時〜３時）であるか否かを判定する。これは現在時刻から睡眠開始を判断するためである。
【００５９】
そして、上記Ｓ２〜Ｓ５の判定のうち、一つでも否定されれば通常モードを継続して行い、すべての判定が肯定されれば、コントローラー１６は対象室１内に居る人が睡眠していると判断して、前記通常モードから前記睡眠モードへと自動的に移行する。
【００６０】
本実施形態の空調システムでは、対象室１の情報を検知する各種検知手段の検知結果に基づいて対象室１内で人が睡眠しているか否かを推定することができるため、利用者は睡眠しているか否かの設定を手動で行う必要がなく、利便性が向上する。
【００６１】
なお、対象室１内で人が睡眠しているか否かを推定するための条件は前記Ｓ２〜Ｓ５の条件に限られない。また、例えばＳ２〜Ｓ５の条件のうちのＳ３又はＳ４あるいはＳ３及びＳ４を省略する等してもよい。また、本実施形態の推定手段は、第二実施形態の暖房システムの推定手段として用いても構わない。また、本実施形態の自動の推定手段と第一実施形態や第二実施形態の手動の推定手段との両方を利用できるようにしてもよい。
【００６２】
また、第一〜第三実施形態における送風手段５は、図９に示すサーキュレーション機能を有する内装パネル２６で構成してもよい。この内装パネル２６は対象室１内の空気を循環させるものであり、例えば建物の間柱間に設置されて対象室１の壁面の一部を構成する。内装パネル２６の室内側に露出する前面の上下の端部には上側通気口２７及び下側通気口２８が夫々設けられている。上側通気口２７と下側通気口２８は内装パネル２６内に形成された図示しない通気路を介して連通している。この通気路には正逆両方向に回転可能な循環用ファン３１（図１０参照）が設けられている。この循環用ファン３１を一方向に回転させることで、矢印ｃに示すように対象室１内の天井２近傍の空気を上側通気口２７から通気路内に吸い込むと共にこの空気を矢印ｄに示すように下側通気口２８を介して対象室１内の床近傍に送る送風が行われる。また、この循環用ファン３１を逆方向に回転させることで、矢印ｅに示すように対象室１内の床近傍の空気を下側通気口２８から通気路内に吸い込むと共にこの空気を矢印ｆに示すように上側通気口２７を介して対象室１内の天井２近傍に送る送風を行える。このような内装パネル２６で送風手段５を構成した場合も、送風手段５を天井扇１７で構成した実施形態と同様の作用効果が得られる。
【００６３】
また、このような内装パネル２６を用いる場合、図９及び図１０のように床温検知手段２１を内装パネル２６の下側通気口２８近傍の下端部に設けられた温度センサー２９で構成してもよい。この温度センサー２９は送風手段用制御部１３に接続され、前記内装パネル２６の循環用ファン３１を単独で運転する場合にも用いることができる。そして、温度センサー２９の検知結果は送風手段用制御部１３を介してコントローラー１６に送信されるようになっている。このようにすると、内装パネル２６の温度センサー２９で床温検知手段２１を構成できる。
【００６４】
また、本発明は本明細書において説明した例や図面に図示された例には限定されず、本発明の要旨を逸脱しない範囲において、各種の設計変更や改良を行ってよい。
【符号の説明】
【００６５】
１  対象室
３  輻射空調手段
５  送風手段
６  室温検知手段
８  制御手段
【図１】
0005486421.tif 000002
【図２】
0005486421.tif 000003
【図３】
0005486421.tif 000004
【図４】
0005486421.tif 000005
【図５】
0005486421.tif 000006
【図６】
0005486421.tif 000007
【図７】
0005486421.tif 000008
【図８】
0005486421.tif 000009
【図９】
0005486421.tif 000010
【図１０】
0005486421.tif 000011